(57)【特許請求の範囲】
【請求項１】
ペーパータオルディスペンサーに取り付けて、そのペーパータオルディスペンサーが想定する規格のペーパータオルよりも、小さい規格のペーパータオルの引き出しをしやすくするためのアタッチメントであって、
一枚の可撓性のシート材が折曲げられて形成された本体部と、この本体部をディスペンサーに取付けるための第一接着部及び第二接着部とを有し、
前記本体部は、前記シート材の一方縁から所定距離離間した位置で直線状の第一折り縁で山折りに折曲げられ、さらに前記第一折り縁から所定距離離間した位置で前記第一折り縁と平行な直線状の第二折り線縁で山折り又は谷折りに折曲げられ、
前記第一接着部は、前記一方縁の近傍にあって、前記一方縁と第一折り縁との間の面をディスペンサー内壁面に対して接着可能とする面に位置し、
前記第二接着部は、前記一方縁と反対の他方縁と第二折り縁との間に位置し、前記他方面と第二折り縁との間の面を、前記第一接着部が接着されるディスペンサー内壁面と同一面の内壁面に対して接着可能とする面に位置し、
前記各折り縁の延在方向がペーパータオルディスペンサーの幅方向に一致するようにして、前記第一接着部をディスペンサー内壁面の上方側、第二接着部を前記ディスペンサー内壁面の下方側にそれぞれ接着した際に、前記一方縁と第一折り縁との間の面が前記ディスペンサーの内壁面から下方に向かって遠ざかるように傾斜しかつディスペンサー内壁面から離間した位置で前記第一折り縁を先端縁とする、断面略三角形をなし、ディスペンサーに収納された前記小さい規格のペーパータオルの束が載る、凸部を、ディスペンサー内壁面に形成する、
ことを特徴とする、ペーパータオルディスペンサー用ペーパータオル種変換アタッチメント。
【請求項２】
ディスペンサーに前記接着部を介して取付けた際に、前記一方縁と第一折り縁との間の面がシート材の可撓性によって撓み湾曲面を形成する、請求項１記載のペーパータオルディスペンサー用ペーパータオル種変換アタッチメント。
【請求項３】
請求項１又は請求項２記載のペーパータオルディスペンサー用ペーパータオル種変換アタッチメントを形成する、ペーパータオルディスペンサー用ペーパータオル種変換アタッチメント形成シートであって、
一枚の折曲げ成形可能な可撓性のシート材の一方面の一方縁側に第一接着部を有し、前記一方縁と反対の他方縁側に第二接着部を有し、前記第一接着部と第二接着部との間に、前記シート材の折曲げを助ける直線状の平行な第一折り線と第二折り線とを有し、
前記第一折り線で山折りされかつ前記第二折り線で山折り又は谷折りされた状態で、前記第一接着部及び第二接着部が同一平面に対して接着可能とする面にそれぞれ位置する、
ことを特徴とするペーパータオルディスペンサー用ペーパータオル種変換アタッチメント形成シート。
【発明の詳細な説明】
【技術分野】
【０００１】
本発明は、ペーパータオルディスペンサー用ペーパータオル種変換アタッチメント及びペーパータオルディスペンサー用ペーパータオル種変換アタッチメント形成シートに関する。さらに、詳しくは、ペーパータオルディスペンサーに取付けて異なる規格の大きさのペーパータオルに対応させるためのアタッチメント及びそのアタッチメントを形成するためのシートに関する。
【背景技術】
【０００２】
複数枚のペーパータオルを折り畳み積層してなるペーパータオルの束を、交換可能に内部に収め、取出口から一枚ずつ引き出すようにするペーパータオルディスペンサーは良く知られるところである。この種のペーパータオルディスペンサーの構造は、図４〜７に示す構造が代表される。すなわち、係るペーパータオルディスペンサー１０１は、概ね、ディスペンサーの蓋部を兼ねる前板部１１１と、ペーパータオルの束１０２が実質的に載置され前後方向中央部において幅方向に延在する細長の取出口１１０が形成されている底板部１１３と、前記前板部１１１と対面して位置される背板部１１２の三つの要素を有する。背板部１１２と底板部１１３とは一体に形成されるものもある。
【０００３】
また、この種のペーパータオルディスペンサー１０１は、ペーパータオルが手洗い後に手拭き用に用いられることが多く、手洗い後の水が落下して取出口１１０から侵入し内部の束を汚染しないようにするために、また、洗面所や化粧室等の比較的狭小な空間に設置することが求められることなどから、取出口１１０を底面に形成し、その取出口１１０を下方に向けて前記背板部１１２を介して壁面設置されることが多い。
【０００４】
ところで、ペーパータオルのサイズは、複数種存在する。例えば、大判、中判、小判やＳ，Ｍ、Ｌサイズや小サイズ、中サイズ、大サイズなど製造業者において呼び方や、それら種別毎の大きさに若干の差はあるものの、概ね３規格程度の大きさに分けられている。近年、ペーパータオルの紙質の向上による吸水性等の機能向上が図られ、またエコ意識の高まりなどから、例えば大判や中判といった紙面の大きいペーパータオルを使用していた消費者が、小判等のより紙面の小さいペーパータオルへ移行するようになってきており、その消費量が増加している。
【０００５】
一方、従来のペーパータオルディスペンサー１０１は、例えば、大判用、中判用、小判用など想定するペーパータオルの大きさに合わせて、それ専用に作られたものが多くあり、これら従来のペーパータオルディスペンサー１０１では、想定するペーパータオルの係る束の大きさに適してペーパータオルの束１０２からペーパータオルを引き出し易くしている。例えば、図６に示すように、取出口１１０を有する底板部１１３の形状が、中判や中サイズと称されるペーパータオルの束１０２の底面の大きさ（概ね短辺１１５〜１２５ｍｍ×長辺２１０〜２３０ｍｍ）に応じて予め成形する等されており、引き出し時にペーパータオルの束１０２の底部分が取出口１１０へ過度に集積しないようにしてペーパータオル１０１Ｓを引き出しやすくしている（なお、大判等の束の底の大きさも例示すると、概ね短辺１１５〜１２５ｍｍ×長辺２４０〜２６０ｍｍである）。
【０００６】
しかしながら、図７に示すように、このような中判などの大きさに合わせられたペーパータオルディスペンサー１０１において、底面の大きさが小さい（概ね短辺８０〜１００ｍｍ×長辺２１０〜２３０ｍｍ）小判や小サイズと称されるペーパータオルの束１０２ｘを使用すると、中判のペーパータオルの束に応じて形成された取出性向上の機構、とりわけ、束の底部に過度の荷重がかからないようにして取出口１１０からペーパータオルを引き出しやすくすべく中判のペーパータオルの束の底面の大きさに応じて形成した取出性向上の機構が働かず、ペーパータオルの束１０２ｘの底部が取出口１１０に密集して、ペーパータオルの取出し抵抗が過度に高まり、ペーパータオルが破れるなどの問題が発生する。
【０００７】
このように、従来、大伴、中判等の紙面の大きいペーパータオルを使用していた消費者が小判等の紙面の小さいペーパータオルへ移行しようとするとペーパータオルディスペンサーそのものを新たに購入して設置替えする必要があり、コストや手間の負担がある。また、それが紙面の大きいペーパータオルからより紙面の小さいペーパータオルへの移行の障害となることもある。
【先行技術文献】
【特許文献】
【０００８】
【特許文献１】特許第４２２８０８３号
【特許文献２】特許第４１８０３３４号
【特許文献３】特許第４６１５５５０号
【特許文献４】特許第５５７９５１９号
【特許文献５】特許第５３０１８２４号
【特許文献６】特許第４８４７６２６号
【発明の概要】
【発明が解決しようとする課題】
【０００９】
そこで、本発明の主たる課題は、ペーパータオルディスペンサーを買い換えることなく、より紙面の小さいペーパータオルをスムーズに取り出せるようにするペーパータオルディスペンサー用ペーパータオル種変換アタッチメントを提供することにある。
【課題を解決するための手段】
【００１０】
上記課題を解決した本発明は以下のとおりである。
【００１１】
〔請求項１記載の発明〕
ペーパータオルディスペンサーに取り付けて、そのペーパータオルディスペンサーが想定する規格のペーパータオルよりも、小さい規格のペーパータオルの引き出しをしやすくするためのアタッチメントであって、
一枚の可撓性のシート材が折曲げられて形成された本体部と、この本体部をディスペンサーに取付けるための第一接着部及び第二接着部とを有し、
前記本体部は、前記シート材の一方縁から所定距離離間した位置で直線状の第一折り縁で山折りに折曲げられ、さらに前記第一折り縁から所定距離離間した位置で前記第一折り縁と平行な直線状の第二折り線縁で山折り又は谷折りに折曲げられ、
前記第一接着部は、前記一方縁の近傍にあって、前記一方縁と第一折り縁との間の面をディスペンサー内壁面に対して接着可能とする面に位置し、
前記第二接着部は、前記一方縁と反対の他方縁と第二折り縁との間に位置し、前記他方面と第二折り縁との間の面を、前記第一接着部が接着されるディスペンサー内壁面と同一面の内壁面に対して接着可能とする面に位置し、
前記各折り縁の延在方向がペーパータオルディスペンサーの幅方向に一致するようにして、前記第一接着部をディスペンサー内壁面の上方側、第二接着部を前記ディスペンサー内壁面の下方側にそれぞれ接着した際に、前記一方縁と第一折り縁との間の面が前記ディスペンサーの内壁面から下方に向かって遠ざかるように傾斜しかつディスペンサー内壁面から離間した位置で前記第一折り縁を先端縁とする、断面略三角形をなし、ディスペンサーに収納された前記小さい規格のペーパータオルの束が載る、凸部を、ディスペンサー内壁面に形成する、
ことを特徴とする、ペーパータオルディスペンサー用ペーパータオル種変換アタッチメント。
【００１２】
〔請求項２〕
ディスペンサー内壁面に前記接着部を介して取付けた際に、前記一方縁と第一折り縁との間の面がシート材の可撓性によって撓み湾曲面を形成する、請求項１記載のペーパータオルディスペンサー用ペーパータオル種変換アタッチメント。
【００１３】
〔請求項３〕
請求項１又は請求項２記載のペーパータオルディスペンサー用ペーパータオル種変換アタッチメントを形成する、ペーパータオルディスペンサー用ペーパータオル種変換アタッチメント形成シートであって、
一枚の折曲げ成形可能な可撓性のシート材の一方面の一方縁側に第一接着部を有し、前記一方縁と反対の他方縁側に第二接着部を有し、前記第一接着部と第二接着部との間に、前記シート材の折曲げを助ける直線状の平行な第一折り線と第二折り線とを有し、
前記第一折り線で山折りされかつ前記第二折り線で山折り又は谷折りされた状態で、前記第一接着部及び第二接着部が同一平面に対して接着可能とする面にそれぞれ位置する、
ことを特徴とするペーパータオルディスペンサー用ペーパータオル種変換アタッチメント形成シート。
【発明の効果】
【００１４】
以上のとおり、本発明によれば、ペーパータオルディスペンサーを買い換えることなく、より紙面の小さいペーパータオルをスムーズに取り出せるようにするペーパータオルディスペンサー用ペーパータオル種変換アタッチメントが提供される。
【図面の簡単な説明】
【００１５】
【図１】本発明に係るペーパータオルディスペンサー用ペーパータオル種変換アタッチメントの斜視図である。
【図２】本発明に係るペーパータオルディスペンサー用ペーパータオル種変換アタッチメントをペーパータオルディスペンサーに取付けた状態を示す断面図である。
【図３】本発明に係るペーパータオルディスペンサー用ペーパータオル種変換アタッチメント形成シートの平面図である。
【図４】従来例のペーパータオルディスペンサーの正面図である。
【図５】従来例のペーパータオルディスペンサーの側面図である。
【図６】従来の中判用のペーパータオルディスペンサーに中判のペーパータオルの束を収めて使用する態様を説明するための断面図である。
【図７】従来の中判用のペーパータオルディスペンサーにより小さい大きさの小判のペーパータオルの束を収めて使用した際の態様を説明するための断面図である。
【発明を実施するための形態】
【００１６】
次いで、本発明の実施の形態を図１〜３を参照しながら以下に詳述する。
【００１７】
本実施形態に係るペーパータオルディスペンサー用ペーパータオル種変換アタッチメント（以下、単にアタッチメントと称する）２０は、本来そのペーパータオルディスペンサーが想定する大きさのペーパータオルよりも、小さい大きさのペーパータオルを使用してもスムーズに引き出せるようにするアタッチメントである。例えば、大伴、中判や大サイズ、中サイズ等と称される比較的紙面の大きいペーパータオル用のペーパータオルディスペンサーに、それよりも紙面の小さい小判あるいは小サイズ等と称されるペーパータオルを用いてもスムーズに引き出せるようにするためのアタッチメントである。なお、図３は、本発明に係るこのアタッチメント形成するためのシート材５０の平面図であり、符号は一部アタッチメントに形成した際における部位の符号と同一のものを付する。また、係るシート材５０については、アタッチメント２０を説明する中で適宜に説明する。
【００１８】
本実施形態に係るこのアタッチメント２０は、特に、図１に示すように、折り曲げ成形可能な一枚の可撓性のシート材を折曲げて形成される本体部３０と、この本体部３０をディスペンサーに取付けるための第一接着部４１及び第二接着部４２とを有している。
【００１９】
前記折曲げ成形可能なシート材は、適宜に折曲げることができ、また、可撓性を有しつつも一定の形状を保持できる適度な剛度を有するものである。例えば、ポリプロピレン、ポリカーボネート、塩化ビニル等の樹脂製シート材、段ボール紙、坪量２５０〜５００ｇ／ｍ2程度のコートボール紙等が挙げられる。中でも、コスト、折曲げ成形性、組立て後の強度や可撓性の観点から厚さ０．３〜０．４ｍｍのポリプロピレン樹脂製のシート材が特に適する。
【００２０】
他方、前記本体部３０の構造は、前記シート材の一方縁３１から所定距離Ｌ１離間した位置で直線状の第一折り縁３２をもって山折りに折曲げられ、さらに前記第一折り縁３２から所定距離Ｌ２離間した位置で前記第一折り縁３２と平行な直線状の第二折り線縁３３をもって山折り又は谷折りに折曲げられてなる折曲げ構造を有する。なお、図示例は、第二折り縁３３をもって山折りにした例である。
【００２１】
他方、第一接着部４１及び第二接着部４２は、前記本体部３０をディスペンサー内壁面６０に対して接着固定するための部分であり、本体部３０の後述する位置にアクリル系粘着剤等の公知の接着剤を配する等して形成することができる。図示例では、本体部３０に各接着剤を配して接着部を形成するにあたっては、好ましく両面粘着シートを用いている。両面粘着シートを用いれば本体部３０に対して簡易かつ正確な形状で接着部を配することができる。また、一般に両面粘着シートは、未使用時においては一方面が剥離紙等によって被覆されているため、未使用時における取り扱い性も向上する。
【００２２】
各接着部４１，４２に係る接着剤の具体的な種類は、ペーパータオルディスペンサー１の素材や接着面たるディスペンサー内壁面６０の表面形状に応じて選択すればよい。また、接着剤としては、ディスペンサー内壁面６０に対して再剥離可能なものが好ましく、このように各接着部４１，４２をディスペンサー内壁面６０に対して再剥離可能な接着剤で構成すれば、小判のペーパータオルを用いるときにはアタッチメント２０を接着固定して使用し、改めて中判のペーパータオルを用いるときには、それを容易に取り外して使用することが可能となる。
【００２３】
他方、各接着部４１，４２の具体的な位置及びその位置関係について説明すると、まず、第一接着部４１は、前記一方縁３１の近傍に位置され、第二接着部４２は、前記一方縁３１と反対の他方縁３４と第二折り縁３３との間に位置される。そして、各接着部４１，４２は、上記各位置にあって、本体部３０が上記折り構造を有していることを前提として、第一接着部４１が前記一方縁３１と第一折り縁３２との間の面３５をディスペンサー内壁面６０に対して接着可能とする面、前記第二接着部４２が、前記他方縁３４と第二折り縁３３との間の面３６を、前記第一接着部４１が接着されるディスペンサー内壁面６０と同一面の内壁面に対して接着可能とする面に、それぞれ位置される。すなわち、本実施形態に係る本体部３０の構造は、上記折曲げにより前記一方縁３１及び第二折り縁３３との間に第一折り縁３２が凸の先端縁として存在する断面楔型に形成されるため、各接着部４１，４２よって上記各所定面３５，３６を同一のディスペンサー内壁面６０に接着可能とするには、第一接着部４１は、第一折り縁３２が山折りされていることから、その折りによって折り内面となる面に位置することになる。また、第二接着部４２は、前記第二折り縁３３を山折りするか谷折りするかによってその面が決定される。すなわち、第一折り縁３２と同方向に山折りするのであれば、折り前のシート状態における前記第一接着部４１の形成面と反対面であり、谷折りするのであれば、同一面である。
【００２４】
以上の折り構造の本体部２０及び接着部４１，４２の位置の本実施形態に係るアタッチメント２０は図２に示すように使用され、下記のようにその機能・効果を発揮する。すなわち、ペーパータオルディスペンサー１のペーパータオルの束を収容する収容部を構成するディスペンサー内壁面６０、とりわけ前記収容部にペーパータオルの束を収容した際に束の折り返し縁が並ぶ面が対面するディスペンサー内壁面６０（図示例は、一般的なディスペンサーに従い、内壁面は前板部１１の内面、背板部１２の内面としている。）に対し、前記各折り縁３２，３３の延在方向がペーパータオルディスペンサーの幅方向（取出口１０の延在方向でもある。）に一致するようにして、前記第一接着部４１をディスペンサー内壁面６０の上方側、第二接着部４２を前記ディスペンサー内壁面６０の下方側にそれぞれ接着する。前記折り曲げ構造の本体部３０の形状を維持しつつ第一接着部４１及び第二接着部４２でディスペンサー内壁面６０に接着すると、前記一方縁３１と第一折り縁３２との間の面３５が前記ディスペンサー内壁面６０から下方に向かって遠ざかるように傾斜しかつディスペンサー内壁面６０から離間した位置で前記第一折り縁３１を先端縁とする、凸部がディスペンサー内壁面６０に形成されることになる。そして、このアタッチメント２０の取付けの結果形成される凸部によって、ディスペンサー内壁面６０，６０間において、本来そのディスペンサーで使用が想定されている大きさの束（例えば、大伴や中判と称されるものの束）が上方から下方に至る幅の導路が一部で狭められることになり、そのディスペンサーで使用が想定されている大きさの束よりも小さいペーパータオルの束２であっても、その位置でペーパータオルの束２を一時的に支持できるようにすることができ、係るペーパータオルの束２においても、取出口近傍におけるその束の荷重を軽減することができるようになる。その結果、本来そのディスペンサーで使用が想定されている大きさのペーパータオルよりも小さい大きさのペーパータオルの束２からペーパータオルＳをスムーズに引き出せるようになる。
【００２５】
なお、アタッチメント２０は、対面する一対の各内壁面６０の一方のみに取付けることも可能であるが、一般的なディスペンサーでは、各内壁面間のほぼ中間直下において幅方向に延在するように取出口が形成されるため、ペーパータオルの束２を取出口の上方の適切な位置で維持されるように、両内壁面６０，６０にアタッチメント２０，２０を取付けるのが望ましい。その際に、両アタッチメント２０，２０の第一折り縁３２，３２の高さ方向位置を合わせ、また、その第一折り縁３２，３２間の中間位置の直下に取出口１０が位置するようにするのがよい。
【００２６】
さらに、ペーパータオルディスペンサー１はモデル等によって上記内壁面間の距離が若干異なることがあるが、本実施形態に係るアタッチメント２０は、折曲げ可能な可撓性のシート材により形成されるとともに、上記折り曲げ構造の本体部３０と各接着部４１，４２の位置からして、ディスペンサー内壁面６０に対して各接着部４１，４２を接着する際に、それらの間の離間距離を調整することで、ディスペンサー内壁面６０から凸部の先端縁たる第一折り縁３２までの離間距離を調整することができ、そのようなディスペンサー内壁面間の距離に差があっても対応できる。
【００２７】
また、可撓性であるとともに上記折り曲げ構造であるゆえ、取出口１０からペーパータオルＳを引き出す際に意図せずにペーパータオルの束２を下方に引く力が強く加わった際に、アタッチメント自体の変形によって荷重を逃がし、もってディスペンサー内壁面６０から接着部４１，４２が剥がれて離脱しないようになっている。さらに、ペーパータオルの引き出し抵抗が高まって破れるおそれもない。
【００２８】
ここで、アタッチメント２０の取付けに関して、上記のペーパータオルの束２の荷重低減が行なわれる位置、すなわち、第一折り縁３２の高さ方向位置が取出口１０から過度に離間していると、第一折り縁３２を通過した束が結局のところ取出口１０に密集してしまうことになるため、過度に高い位置に取付けるのは望ましくない。また、ディスペンサーの内部は、狭小であるため接着可能な範囲も限られる。このため、本実施形態に係るアタッチメント２０の本体部３０の折曲げ構造としては、図示例の如く第二折り縁３３を第一折り縁３２と同方向に山折りする態様が望ましい。第二折り縁３３を谷折りにする場合には、他方縁３４と第二折り縁３３との間の面３６が第一折り縁３２より下方に突片として形成されることになるため、その分第一折り縁３１が上方に位置されてしまうからである。
【００２９】
また、本実施形態に係るアタッチメント２０の一方縁３１から第一折り縁３２までの所定距離Ｌ１、第一折り縁３２から第二折り縁３３までの所定距離Ｌ２、第二折り縁３３から他方縁３４までの所定距離Ｌ３については、各々取付けるペーパータオルディスペンサーの大きさや対応ペーパータオルの規格、さらにその規格から変換するペーパータオルの規格や設置態様に応じて適宜に設計することができる。この設計に関しては、一般に市販される程度のペーパータオルの大きさであれば、ペーパータオルの束２の底面の短辺の長さＬ５に対して、第一折り縁３２，３２間の距離Ｌ４を約９３〜８５％とするのが望ましく、また、各アタッチメント２０の第一折り縁３２の近傍によってペーパータオルの束２の底面の短手方向の両端部が各々３．０〜６．０ｍｍ支持される取付け態様とするのがよく、これに基づいて設計すればよい。例えば、小判、小サイズ、Ｓサイズ等と称されるペーパータオルの束２の底面の短辺の長さＬ５が８７ｍｍ程度であれば、前記アタッチメント２０を対面するペーパータオルディスペンサー１の各内壁面６０，６０に設置するとして、その際に第一折り縁３２，３２間の距離Ｌ４は８１〜７５ｍｍとなる。この離間距離Ｌ４とすると、ペーパータオルが好適に支持されてスムーズな引き出しが可能となる。すなわち、前記一方縁３１から第一折り縁３２までの所定距離Ｌ１と第一折り縁３２と第二折り縁３３との間の所定距離Ｌ２は、ディスペンサーに取付けた際に上記離間距離Ｌ４を確保できる範囲で適宜にその数値範囲を設計する。また、第二折り縁３３から他方縁３４までの所定距離Ｌ３は、十分な第二接着部４２の接着領域を確保する観点から定めればよい。
【００３０】
さらに、本実施形態のアタッチメント２０は、特に各所定距離Ｌ１〜Ｌ３を設計して、ディスペンサーに各接着部４１，４２を介して取付けた際に、一方縁３１と第一折り縁３２との間の面３５がシート材の可撓性によって撓み湾曲面を形成するようにするのが望ましい。このように湾曲面とすることで、ペーパータオルの引き出しに伴うペーパータオルの束２の下方への移行がスムーズになされるようになり、もって引き出し性を良好なものとする。
【００３１】
また、本実施形態に係るアタッチメント２０の幅は、図示例では、一方縁３１から他方縁３４に至るまで同幅となっており、この形状がペーパータオルの束２の底を支持しつつ下方への移行を促す点で適するが、必ずしもこのように同幅とする必要はない。但し、第一折り縁３２の長さについては、ペーパータオルの束２の底面の長辺に沿って支持できる程度の長さとする。ペーパータオルディスペンサーの幅方向中央にアタッチメントを取り付けるのであれば、ペーパータオルの束の長辺長さの２０％以上の長さ程度があればよい。もちろん、より長い方が安定性は高まる。ペーパータオルの束２の底面の長辺長さより第一折り縁３２の長さが２０％未満に短いと、ペーパータオルの束が第一折り縁３２によって十分に支持されないおそれが高まるからである。
【００３２】
以上のように本実施形態に係るペーパータオルディスペンサー用ペーパータオル種変換アタッチメント２０は、折曲げ可能な可撓性のシート材であること、その本体部３０の折曲げ構造及び各接着部４１，４２の位置からして、ペーパータオルディスペンサーに取付けることにより、そのペーパータオルディスペンサーに適した大きさのペーパータオルよりも、小さい大きさのペーパータオルを使用しても問題なくスムーズに引き出せるようになる。
【００３３】
ところで、上記本実施形態に係るペーパータオルディスペンサー用アタッチメント２０は、図３に示す、一枚の折曲げ成形可能な可撓性のシート材の一方面の一方縁３１側に第一接着部４１を設け、また、前記一方縁３１と反対の他方縁３４側に第二接着部４２を設け、前記第一接着部４１と第二接着部４２との間に、前記シート材の折曲げを助ける直線状の平行な第一折り線３２ｘと第二折り線３３ｘを設けたペーパータオルディスペンサー用ペーパータオル種変換アタッチメント形成シート５０から前記各折り線３２ｘ，３３ｘを折曲げて、各折り縁３２，３３を形成しつつ組立てることで容易に成形することができる。シートの素材及び接着部の構成等については上記アタッチメント２０について説明したとおりである。このシートは、前記各折り線３２ｘ，３３ｘは、例えば、折り筋やハーフカット線等の当該線に沿って折り曲げ易くする公知の構成を採用できる。
【００３４】
また、このシートの形状は矩形が望ましく、また、その大きさは前記アタッチメント２０の形状に応じて適宜に設計できる。一般的に、大伴用、中判用、Ｌサイズ用、Ｍサイズ用等のディスペンサーに取付けて、小判やＳサイズのペーパータオルを用いるようにするアタッチメントを形成するのに適する大きさの一例は、幅Ｌ６が１００±３ｍｍ、一方縁３１から他方縁３４に至る長さＬ７が１６０±３ｍｍ、第一折り線３２ｘと第二折り線３３ｘとの間の距離Ｌ２が２３±３ｍｍであるのが望ましい。係る範囲内で一方縁３１から第一折り線３２ｘまでの長さを適宜に設計すればよい。
【００３５】
以上の本実施形態に係るアタッチメント及びその形成シートによれば、ペーパータオルディスペンサーに、そのペーパータオルディスペンサーが設計時に想定していたペーパータオルよりも、より小さい大きさのペーパータオルを用いる際の問題点が解消される。しかも、安価かつ簡易に製造することができ、また軽量で持ち運び性にもすぐれる。また、形成シートはシート状で場所もとらない。さらには、副次的な効果として、その素材が可撓性であるがゆえ、ペーパータオルの束の交換時に凸の先端縁である第一折り縁に手が触れても変形しやすく硬質樹脂成型品とするよりも怪我などするおそれが小さい。
【符号の説明】
【００３６】
１，１０１…ペーパータオルディスペンサー、２，１０２，１０２ｘ…ペーパータオルの束、１１，１１１…前板部、１２，１１２…背板部、１３，１１３…底板部、１０，１１０…取出口、２０…アタッチメント、３０…本体部、３１…シート材の一方縁、３２…第一折り縁、３２ｘ…第一折り線、３３…第二折り縁、３３ｘ…第二折り線、３４…シート材の他方縁、３５…一方縁と第一折り縁との間の面、３６…他方縁と第二折り縁との間の面、４１…第一接着部、４２…第二接着部、６０…ディスペンサー内壁面。
【図１】
0006576625.tif 000002
【図２】
0006576625.tif 000003
【図３】
0006576625.tif 000004
【図４】
0006576625.tif 000005
【図５】
0006576625.tif 000006
【図６】
0006576625.tif 000007
【図７】
0006576625.tif 000008